(57)【要約】【課題】従来、通信によるデータ取得は、参照すべきＢＭＬ文書を取得後、そのＢＭＬ文書に記述された関連データを取得するため、取得したＢＭＬ文書の解析が完了するまでは何も画面に表示出来ないという問題があった。【解決手段】受信部１でデータ放送を含むデジタル放送を受信し、通信部８で通信を介して送信されるコンテンツにかかるデータを受信し、データ処理部４にて受信部１で受信した信号からデータ放送に関するデータを抽出する。さらに、データ処理部４で抽出されたデータからコンテンツが通信により送信されるものであるか否かを検出し、通信によるものである場合、制御部７は通信部８にて前記コンテンツを受信させ、受信したコンテンツ及びこのコンテンツに関連した情報のアドレスをメモリ管理部５に記憶させると共に、受信したコンテンツを表示部３に出力させる。【選択図】  図１
2004282530.tif 000002
【特許請求の範囲】
【請求項１】
データ放送を含むデジタル放送を受信する第１の受信手段と、通信手段を介して送信されるコンテンツにかかるデータを受信する第２の受信手段と、前記第１の受信手段で受信した信号からデータ放送に関するデータを抽出する手段と、この抽出手段にて抽出されたデータからコンテンツが通信により送信されるものであるか否かを検出する手段と、この検出手段にてコンテンツが通信により送信されるものであることが検出された場合、前記第２の受信手段にて前記コンテンツを受信させ、受信したコンテンツ及びこのコンテンツに関連した情報のアドレスを記憶手段に記憶させると共に、受信したコンテンツを表示手段に出力させる制御手段とを具備したことを特徴とするデジタル放送受信装置。
【請求項２】
データ放送を含むデジタル放送を受信する第１の受信手段と、通信手段を介して送信されるコンテンツにかかるデータを受信する第２の受信手段と、この第２の受信手段にて受信した前記コンテンツ及びこのコンテンツに関連した情報のアドレスを記憶する記憶手段と、前記第１の受信手段で受信した信号からデータ放送に関するデータを抽出する手段と、この抽出手段にて抽出されたデータからコンテンツが通信により送信されるものであるか否かを検出する手段と、この検出手段にてコンテンツが通信により送信されるものであることを検出した場合で、かつ前記記憶手段に記憶されているアドレスと同一アドレスのコンテンツを表示しようとする場合、前記記憶手段に記憶された前記コンテンツと関連した情報のアドレスにもとづき前記コンテンツと関連した情報も前記コンテンツと同時に第２の受信手段にて受信させる制御手段とを具備したことを特徴とするデジタル放送受信装置。
【請求項３】
請求項１乃至２記載のデジタル放送受信装置において、前記コンテンツはＢＭＬ文書であり、前記コンテンツに関連した情報のアドレスは、前記ＢＭＬ文書に関連づけられたデータのＵＲＩであることを特徴とするデジタル放送受信装置。
【請求項４】
データ放送を含むデジタル放送を受信する第１の受信ステップと、通信手段を介して送信されるコンテンツにかかるデータを受信する第２の受信ステップと、この第２の受信ステップにて受信した前記コンテンツ及びこのコンテンツに関連した情報のアドレスを記憶するステップと、前記第１の受信ステップで受信した信号からデータ放送に関するデータを抽出するステップと、この抽出ステップにて抽出されたデータからコンテンツが通信により送信されるものであるか否かを検出するステップと、この検出ステップにてコンテンツが通信により送信されるものであることを検出した場合で、かつ前記記憶ステップにて記憶されたアドレスと同一アドレスのコンテンツを表示しようとする場合、前記記憶ステップにて記憶された前記コンテンツと関連した情報のアドレスにもとづき前記コンテンツと関連した情報も前記コンテンツと同時に第２の受信ステップにて受信させる制御ステップとを具備したことを特徴とするデジタル放送受信方法。
【発明の詳細な説明】
【０００１】
【発明の属する技術分野】
本発明は、デジタル放送受信装置及び受信方法に関する。
【０００２】
【従来の技術】
現在検討がなされている地上波デジタル放送においては、ＢＳデジタル放送と同様に、本来の映像データの他にデータ放送用のデータが送信可能とされている。さらに、上記地上波デジタル放送においては、ＢＳデジタル放送とは異なり、新たに電話回線等を利用した通信によるデータ取得（コンテンツ取得）も可能となっている。この場合のデータ取得は、まず参照すべきＢＭＬ文書を取得し、その後、そのＢＭＬ文書に記述された関連データを取得するという順序で行われる。すなわち、取得したＢＭＬ文書の解析が完了するまではコンテンツ提示に必要な他のデータは不明なままの状態にあり、上記解析完了までは、何も画面に表示出来ないという問題点があった。
【０００３】
特許文献１には、アナログ地上波にかかるものではあるが、データ放送受信装置が開示されている。しかしながら、上述したような問題点については触れられていない。
【０００４】
【特許文献１】特開平１０−３３６６１１号公報
【０００５】
【発明が解決しようとする課題】
以上述べたように、従来、通信によるデータ取得（コンテンツ取得）においては、参照すべきＢＭＬ文書を取得し、その後、そのＢＭＬ文書に記述された関連データを取得するという順序で行われるため、取得したＢＭＬ文書の解析が完了するまではコンテンツ提示に必要な他のデータは不明なままで、上記解析完了までは何も画面に表示出来ないという問題点があった。
【０００６】
本発明はこのような問題点を解決するためになされたもので、コンテンツの表示までの時間を短縮可能なデジタル放送受信装置及び受信方法を提供することを目的とする。
【０００７】
【課題を解決するための手段】
請求項１にかかるデジタル放送受信装置は、データ放送を含むデジタル放送を受信する第１の受信手段と、通信手段を介して送信されるコンテンツにかかるデータを受信する第２の受信手段と、前記第１の受信手段で受信した信号からデータ放送に関するデータを抽出する手段と、この抽出手段にて抽出されたデータからコンテンツが通信により送信されるものであるか否かを検出する手段と、この検出手段にてコンテンツが通信により送信されるものであることが検出された場合、前記第２の受信手段にて前記コンテンツを受信させ、受信したコンテンツ及びこのコンテンツに関連した情報のアドレスを記憶手段に記憶させると共に、受信したコンテンツを表示手段に出力させる制御手段とを具備したことを特徴とするものである。
【０００８】
請求項２にかかるデジタル放送受信装置は、データ放送を含むデジタル放送を受信する第１の受信手段と、通信手段を介して送信されるコンテンツにかかるデータを受信する第２の受信手段と、この第２の受信手段にて受信した前記コンテンツ及びこのコンテンツに関連した情報のアドレスを記憶する記憶手段と、前記第１の受信手段で受信した信号からデータ放送に関するデータを抽出する手段と、この抽出手段にて抽出されたデータからコンテンツが通信により送信されるものであるか否かを検出する手段と、この検出手段にてコンテンツが通信により送信されるものであることを検出した場合で、かつ前記記憶手段に記憶されているアドレスと同一アドレスのコンテンツを表示しようとする場合、前記記憶手段に記憶された前記コンテンツと関連した情報のアドレスにもとづき前記コンテンツと関連した情報も前記コンテンツと同時に第２の受信手段にて受信させる制御手段とを具備したことを特徴とするものである。
【０００９】
請求項３にかかるデジタル放送受信装置は、請求項１乃至２記載のデジタル放送受信装置において、前記コンテンツはＢＭＬ文書であり、前記コンテンツに関連した情報のアドレスは、前記ＢＭＬ文書に関連づけられたデータのＵＲＩであることを特徴とするものである。
【００１０】
請求項４にかかるデジタル放送受信方法は、データ放送を含むデジタル放送を受信する第１の受信ステップと、通信手段を介して送信されるコンテンツにかかるデータを受信する第２の受信ステップと、この第２の受信ステップにて受信した前記コンテンツ及びこのコンテンツに関連した情報のアドレスを記憶するステップと、前記第１の受信ステップで受信した信号からデータ放送に関するデータを抽出するステップと、この抽出ステップにて抽出されたデータからコンテンツが通信により送信されるものであるか否かを検出するステップと、この検出ステップにてコンテンツが通信により送信されるものであることを検出した場合で、かつ前記記憶ステップにて記憶されたアドレスと同一アドレスのコンテンツを表示しようとする場合、前記記憶ステップにて記憶された前記コンテンツと関連した情報のアドレスにもとづき前記コンテンツと関連した情報も前記コンテンツと同時に第２の受信ステップにて受信させる制御ステップとを具備したことを特徴とするものである。
【００１１】
【発明の実施の形態】
以下、本発明になるデジタル放送受信装置及び受信方法の実施の形態について図面を用いて説明する。
【００１２】
図１は、本発明になるデジタル放送受信装置の一実施の形態を示すブロック図であり、１は図示せぬアンテナに接続された受信部であり、地上波デジタル放送（以下テレビジョン放送と称す）及びデータ放送を受信する。２は、受信部１にて受信されたテレビジョン放送のデータを抽出し、デコードする映像音声処理部、３は映像音声処理部２からの映像信号を表示する表示部である。
【００１３】
一方、４は受信部１で受信されたデータ放送のデータを抽出するデータ処理部、５はデータ処理部４の出力がＢＭＬブラウザ６によってファイル化されてその内部メモリ（図示せず）に記憶され、また必要に応じてＢＭＬブラウザ６へその内部メモリからファイルの提供を行うメモリ管理部である。７はＢＭＬブラウザ６からの要求に応じて、データの取得並びにデータの更新管理を行う制御部である。さらに８は図示せぬ電話線やＬＡＮに接続された通信部であって、具体的には例えば、モデム・インタフェースやＬＡＮインタフェースである。
【００１４】
次に図１の装置の動作について詳細に説明する。図示せぬアンテナを介して受信部１にて受信された所望のチャンネルのテレビジョン放送信号は、映像音声処理部２にて映像及び音声データが抽出されデコードされた上で、表示部３にて映像表示される（音声は図示せぬスピーカから出力される）。一方、受信部１にて受信された所望のチャンネルのデータ放送信号は、データ処理部４にてデータ信号が抽出されデコードされた上で、メモリ管理部５にファイルとして記憶される。さらにＢＭＬブラウザ６へ送られて、このファイルに基づいて画面が構成され、表示部３にて表示される。
【００１５】
データコンテンツの提示に当たって、ＢＭＬブラウザから要求されたデータが通信によって取得するものであると制御部７が判断した場合は、制御部７は通信部８に対してデータ取得の指示を行う。そしてメモリ管理部５は通信部８で受信したファイルをその内部メモリに記憶する。そしてさらにその記憶したファイルをＢＭＬブラウザ６へ提供する。ＢＭＬブラウザ６は提供を受けたファイルに基づき表示用の画面を構成して、表示部３へ送信する。ＢＭＬブラウザ６から要求されたデータの中に別のデータが参照されていた場合には、ＢＭＬブラウザ６は引き続き制御部７に対してデータ取得要求を行う。
【００１６】
次に、図２のフローチャートも用いてデータ取得処理の概要を詳細に説明する。制御部７はＢＭＬブラウザ６からファイル取得の指示を受けた場合、そのファイルの取得先を判断する（ステップＳ１）。通信経由でファイル取得と判断された場合（ステップＳ１でＹＥＳ）、メモリ管理部５に対してファイルの存在を確認する（ステップＳ２）。
【００１７】
なお、通信経由でファイル取得と判断されなかった場合（ステップＳ１でＮＯの場合）は、受信部１からファイル取得の処理を行う（ステップＳ３）。メモリ管理部５のメモリ内にファイルが存在しない場合（ステップＳ２でＮＯの場合）、制御部７は通信部８に対し、ファイル受信指示を与える（ステップＳ４）。但し、実際には詳細を後述する動作を行った後に、通信部に対しファイル取得の指示を行う。ファイル受信が終了したかは、ファイル受信の終了通知を通信部８から受け取ったか否かで判定される（ステップＳ５）。終了通知を受信し（ステップＳ５でＹＥＳの場合）、かつ正常に終了した場合（ステップＳ６でＹＥＳの場合）、制御部７からＢＭＬブラウザ６に対してデータ取得完了通知を行う（ステップＳ７）。この通知を受けて、ＢＭＬブラウザ６はメモリ管理部５のメモリ内容を提示する。
【００１８】
以上の動作が繰り返しなされてデータの提示が行われる。なお、ステップＳ６で正常終了とならなかった場合（ステップＳ６でＮＯの場合）は、ＢＭＬブラウザ６に対して取得失敗の通知を行う（ステップＳ８）。
【００１９】
次に、図２におけるステップＳ２及びＳ４、Ｓ５の動作の詳細を図３のフローチャートに基づいて説明する。図３は図２のステップＳ２及びＳ４、Ｓ５の詳細なフローチャートである。まず、メモリ管理部５のメモリ内にファイルが存在しない場合（ステップＳ１１でＮＯ（図２のステップＳ２でＮＯに対応））、要求されたファイルがＢＭＬ文書か否かの判定を行う（ステップＳ１２）。ＢＭＬ文書と判断された場合（ステップＳ１２でＹＥＳ）は、メモリ管理部５のメモリ内に同一のアドレス（ＵＲＩ：Ｕｎｉｆｏｒｍ  Ｒｅｓｏｕｒｃｅ  Ｉｄｅｎｔｉｆｉｅｒ）が記憶されているかの確認を行う（ステップＳ１３）。記憶されている場合は、同ＵＲＩに関連のあるファイルの参照先を参照する（ステップＳ１４）。次に参照されるファイルの抽出を行い、その数を確認し（ステップＳ１５）、取得すべきファイルを特定する（ステップＳ１６）。そして上記特定されたファイルの取得指示を通信部８に対して行う（ステップＳ１７）。まだ取得すべきデータが有れば（ステップＳ１８でＹＥＳ）、引き続き取得すべきファイルの確定作業に戻る（ステップＳ１６に戻る）。取得すべきデータが無くなれば（ステップＳ１８でＮＯ）、ステップＳ１９（図２のステップＳ５に対応）に移動する。
【００２０】
なお、ステップＳ１２でＮＯの場合（すなわち、要求されたファイルがＢＭＬ文書ではない場合）、及びステップＳ１３でＮＯの場合（メモリ管理部５のメモリ内に同一のアドレス（ＵＲＩ）が記憶されていない場合）は、要求されたファイルのみを取得するよう通信部に指示を行うことになる（ステップＳ２０）。
【００２１】
以上の実施の形態によれば、提示したコンテンツに関連付けられたＵＲＩを記憶することで、同一ＵＲＩのものを再提示する場合、ＢＭＬ文書と同時にその文書に関連付けられたデータも同時に取得することにより、画面提示時間を短縮することが出来る。
【００２２】
この発明は上述した実施の形態に限定されるものではなく、種々の変形が可能であることは言うまでもない。
【００２３】
【発明の効果】
以上説明したように、この発明によれば、コンテンツの表示までの時間を短縮可能なデジタル放送受信装置及び受信方法を提供することができる。
【図面の簡単な説明】
【図１】本発明になるデジタル放送受信装置の一実施の形態を示すブロック図。
【図２】図１のデジタル放送受信装置の動作を説明するためのフローチャート。
【図３】図２のフローチャートの一部を詳細に示したフローチャート。
【符号の説明】
１：  受信部
３：  表示部
４：  データ処理部
５：  メモリ管理部
６：  ＢＭＬブラウザ
７：  制御部
８：  通信部
【図１】
2004282530.tif 000003
【図２】
2004282530.tif 000004
【図３】
2004282530.tif 000005